【手続補正書】
【提出日】平成29年2月9日(2017.2.9)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を備え、前記可変表示部を変動表示した後、前記可変表示部の変動表示を停止することで表示結果を導出し、該表示結果に応じて入賞が発生可能であるスロットマシンにおいて、
特定条件が成立してから終了条件が成立するまで、特定状態に制御する特定状態制御手段と、
表示結果が導出されるよりも前に、複数種類の入賞表示結果の導出を許容するか否かを決定する事前決定手段と、
表示結果を導出させるために遊技者により操作される停止操作手段と、
前記事前決定手段の決定結果と前記停止操作手段の操作態様とに応じて表示結果を導出させる手段であって、前記特定状態において前記事前決定手段の決定結果が特定決定結果であるときに、特定表示結果を導出させることを可能とする導出制御手段と、
前記特定状態において前記事前決定手段の決定結果が特定決定結果であるときに、遊技者に特典を付与する特典付与手段と、
前記事前決定手段の決定結果が特定決定結果であるときに示唆演出を実行可能な示唆演出実行手段と、
前記特定状態が終了したときに、該特定状態において前記特典付与手段により特典が付与されたか否かを報知する特典付与演出を、複数種類の実行態様のうちの何れかの実行態様で実行可能な特典付与演出実行手段とを備え、
前記特典付与演出実行手段は、前記特定状態において前記事前決定手段の決定結果が特定決定結果であるときに前記特定表示結果が導出されなかったときと、前記特定状態において前記事前決定手段の決定結果が特定決定結果であるときに前記特定表示結果が導出されたときとで、異なる実行態様で特典付与演出を実行する
ことを特徴とするスロットマシン。
【手続補正２】
【補正対象書類名】明細書
【補正対象項目名】００１０
【補正方法】変更
【補正の内容】
【００１０】
上記目的を達成するため、本発明の手段１にかかるスロットマシンは、
各々が識別可能な複数種類の識別情報を変動表示可能な可変表示部（可変表示装置２）を備え、前記可変表示部を変動表示した後、前記可変表示部の変動表示を停止することで表示結果を導出し、該表示結果に応じて入賞が発生可能であるスロットマシン（スロットマシン１）において、
特定条件が成立してから終了条件が成立するまで、特定状態（ビッグボーナス、レギュラーボーナス）に制御する特定状態制御手段（メイン制御部４１）と、
表示結果が導出されるよりも前に、複数種類の入賞表示結果の導出を許容するか否かを決定する事前決定手段（メイン制御部４１：内部抽選処理）と、
表示結果を導出させるために遊技者により操作される停止操作手段（ストップスイッチ８Ｌ、８Ｃ、８Ｒ）と、
前記事前決定手段の決定結果と前記停止操作手段の操作態様とに応じて表示結果を導出させる手段であって、前記特定状態において前記事前決定手段の決定結果が特定決定結果（１枚役、イチゴ＋１枚役）であるときに、特定表示結果（白７揃い、ＢＡＲ揃い）を導出させることを可能とする導出制御手段（メイン制御部４１：導出可能出目（図９））と、
前記特定状態において前記事前決定手段の決定結果が特定決定結果であるときに、遊技者に特典（ＡＴ権利）を付与する特典付与手段（メイン制御部４１：ＡＴ抽選）と、
前記事前決定手段の決定結果が特定決定結果であるときに示唆演出（示唆演出）を実行可能な示唆演出実行手段（サブ制御部９１）と、
前記特定状態が終了したときに、該特定状態において前記特典付与手段により特典が付与されたか否かを報知する特典付与演出（煽り演出）を、複数種類の実行態様のうちの何れかの実行態様で実行可能な特典付与演出実行手段（サブ制御部９１）とを備え、
前記特典付与演出実行手段は、前記特定状態において前記事前決定手段の決定結果が特定決定結果であるときに前記特定表示結果が導出されなかったときと、前記特定状態において前記事前決定手段の決定結果が特定決定結果であるときに前記特定表示結果が導出されたときとで、異なる実行態様で特典付与演出を実行する（図１４、図１５））
ことを特徴とする。
【手続補正３】
【補正対象書類名】明細書
【補正対象項目名】００１１
【補正方法】変更
【補正の内容】
【００１１】
上記スロットマシンにおいては、特定状態において事前決定手段の決定結果が特定決定結果であることに応じて、遊技者に特典が付与されるものとなっている。ここで、特定状態において事前決定手段の決定結果が特定決定結果であると、特定表示結果が導出されることが可能となっている。この特定表示結果が導出されると、遊技者にとって特典の付与が想像できてしまう。
【手続補正４】
【補正対象書類名】明細書
【補正対象項目名】００１２
【補正方法】変更
【補正の内容】
【００１２】
また、上記スロットマシンにおいては、特定状態が終了したときに、該特定状態において特典が付与されたか否かを報知する特典付与演出が実行されるが、特定表示結果の導出によって特典の付与が想像できるような場合にも実行される特典付与演出に違いがなければ、その特典付与演出が遊技者にとって煩わしいものとなりかねない。もっとも、特典付与演出は、特定状態において事前決定手段の決定結果が特定決定結果であるときに、特定表示結果が導出されなかったときと特定表示結果が導出されたときとで実行態様を異ならせられるので、遊技者が特典の付与を想像できるか否かという遊技の状況に応じて、適切な実行ができるようになり、遊技の興趣を向上させることができる。
【手続補正５】
【補正対象書類名】明細書
【補正対象項目名】００１５
【補正方法】変更
【補正の内容】
【００１５】
本発明の手段３は、手段１または２のスロットマシンにおいて、
前記導出制御手段は、前記特定状態において前記事前決定手段の決定結果が第１特定決定結果（１枚役）であるときに、前記特定表示結果のうちの第１特定表示結果（白７揃い）を導出させるとともに、該事前決定手段の決定結果が第２特定決定結果（イチゴ＋１枚役）であるときに、前記第１特定表示結果とは異なる第２特定表示結果（ＢＡＲ揃い）を導出させ（導出可能出目（図９））、
前記特典付与手段は、前記事前決定手段の決定結果が第１特定決定結果であるか第２特定決定結果であるかに応じて、遊技者への特典の付与を異ならせ（１枚役のＡＴ当選確率は９０％、イチゴ＋１枚役のＡＴ当選確率は１００％）、
前記特典付与演出実行手段は、前記特定状態において前記第１特定表示結果が導出されたか前記第２特定表示結果が導出されたかに応じて、前記特典付与演出の実行態様を異ならせる（煽り演出の実行開始段階の違い（図１４））
ことを特徴とする。
【手続補正６】
【補正対象書類名】明細書
【補正対象項目名】００１６
【補正方法】変更
【補正の内容】
【００１６】
この場合には、事前決定手段の決定結果が第１特定決定結果であるか第２特定決定結果であるかに応じて特典の付与が異ならせられるので、特定状態において第１特定表示結果か第２特定表示結果が導出されたかによって遊技者が特典の付与を想像できることになるが、何れが導出されたかによっても特典付与演出の実行態様を異ならせるので、遊技者が想像できる遊技の状況に応じて、さらに適切に特典付与演出を実行できるものとなる。
【手続補正７】
【補正対象書類名】明細書
【補正対象項目名】００１７
【補正方法】変更
【補正の内容】
【００１７】
本発明の手段４は、手段１乃至３の何れかのスロットマシンにおいて、
前記特典付与演出実行手段は、前記特定状態において前記示唆演出が実行された回数に応じて、前記特典付与演出の実行態様を異ならせる（示唆演出の実行回数の違いにより煽り演出の選択比率が異なる（図１４））
ことを特徴とする。
【手続補正８】
【補正対象書類名】明細書
【補正対象項目名】００１８
【補正方法】変更
【補正の内容】
【００１８】
この場合には、特定表示結果が導出されなかったとしても、示唆演出が実行されることによって特典の付与に対して遊技者がある程度想像できるようになるが、特定状態における示唆演出の実行回数に応じても特典付与演出の実行態様を異ならせるので、遊技者が想像できる遊技の状況に応じて、さらに適切に特典付与演出を実行できるものとなる。
【手続補正９】
【補正対象書類名】明細書
【補正対象項目名】００１９
【補正方法】変更
【補正の内容】
【００１９】
本発明の手段５は、手段１乃至４の何れかのスロットマシンにおいて、
前記導出制御手段は、前記特定状態において前記事前決定手段の決定結果が特定決定結果であって前記停止操作手段が前記特定表示結果の導出を可能とする特定の手順以外の手順で操作されたときと、前記特定状態において前記事前決定手段の決定結果が特定決定結果以外の決定結果であって所定条件（イチゴ）が成立しているときに、前記特定表示結果とは異なる特殊表示結果（白７テンパイ）を導出させ、
前記特典付与演出実行手段は、前記特定状態において前記特殊表示結果が導出された回数に応じて、前記特典付与演出の実行態様を異ならせる（白７テンパイの導出回数の違いにより煽り演出の選択比率が異なる変形例）
ことを特徴とする。
【手続補正１０】
【補正対象書類名】明細書
【補正対象項目名】００２０
【補正方法】変更
【補正の内容】
【００２０】
この場合には、表示結果として特定表示結果が導出されなかったとしても、特殊表示結果が導出されたかによっても遊技者が特典の付与を想像できることになるが、何れが導出されたかによっても特典付与演出の実行態様を異ならせるので、遊技者が想像できる遊技の状況に応じて、さらに適切に特典付与演出を実行できるものとなる。
【手続補正１１】
【補正対象書類名】明細書
【補正対象項目名】００２４
【補正方法】変更
【補正の内容】
【００２４】
前記遅延手段は、さらに、前記特定状態において前記示唆演出が実行された回数に応じて、前記遅延制御を行う期間を異ならせるものとすることができる（フリーズ期間の違い（図１４））。
或いは、前記導出制御手段が前記特殊表示結果を導出させるものである場合には、
前記遅延手段は、さらに、前記特定状態において前記特殊表示結果が導出された回数に応じて、前記遅延制御を行う期間を異ならせるものとすることができる（フリーズ期間の違い（図１４））。
【手続補正１２】
【補正対象書類名】明細書
【補正対象項目名】００４３
【補正方法】変更
【補正の内容】
【００４３】
入賞ラインＬ１は、リール２Ｌの中段、リール２Ｃの中段、リール２Ｒの中段、すなわち中段に並んだ図柄に跨がって設定された入賞ラインをいう。入賞ラインＬ２は、リール２Ｌの上段、リール２Ｃの上段、リール２Ｒの上段、すなわち上段に並んだ図柄に跨がって設定された入賞ラインをいう。入賞ラインＬ３は、リール２Ｌの上段、リール２Ｃの中段、リール２Ｒの下段、すなわち右下がりに並んだ図柄に跨がって設定された入賞ラインをいう。入賞ラインＬ４は、リール２Ｌの下段、リール２Ｃの中段、リール２Ｒの上段、すなわち右上がりに並んだ図柄に跨がって設定された入賞ラインをいう。なお、入賞ラインは、Ｌ１〜Ｌ４に示すラインに限らず、たとえば各リール２Ｌ、２Ｃ、２Ｒの下段に並んだ図柄に跨るラインなどを含むものであってもよい。
【手続補正１３】
【補正対象書類名】明細書
【補正対象項目名】００９６
【補正方法】変更
【補正の内容】
【００９６】
本実施の形態におけるスロットマシンは、図６に示すように、メイン制御部４１により、通常遊技状態、再遊技役の当選確率が通常遊技状態よりも向上されるＲＴ１〜ＲＴ４および内部中ＲＴ、および所定枚数払い出されるまで小役の当選確率が向上されるビッグボーナスやレギュラーボーナスのうち、いずれかに制御される。また、本実施の形態におけるスロットマシンは、サブ制御部９１により、内部抽選結果を報知するナビ演出を実行可能な報知期間となるアシストタイム（以下、ＡＴという）に演出状態を制御可能となっている。
【手続補正１４】
【補正対象書類名】明細書
【補正対象項目名】０１０７
【補正方法】変更
【補正の内容】
【０１０７】
内部抽選においてＳＢに当選したゲームにおいて、当該ＳＢに入賞しなかったときには、ＢＢ１〜ＢＢ３やＲＢと異なり、当該ＳＢの当選フラグが消去される。また、内部抽選においてＳＢに当選したゲームにおいてＳＢ入賞させるタイミングで停止操作がされず、当該ＳＢの図柄組合せを入賞ライン上に引き込むことができないときには、図５（ｂ）で示す特殊出目が入賞ラインＬ１〜Ｌ４のいずれかに引き込むように、リール制御が行なわれる。
【手続補正１５】
【補正対象書類名】明細書
【補正対象項目名】０１１７
【補正方法】変更
【補正の内容】
【０１１７】
遊技者は、一般遊技状態中であってＡＴに制御されていないときには、当該イチゴ入賞させるための操作手順で停止操作することにより、イチゴの取りこぼしを防止できるとともに、たとえば左リール２Ｌの図柄配列からＳＢを構成する左図柄である「星」を引き込むことがなくＳＢを取りこぼすことによりＳＢ入賞によりＲＴ２に制御されてしまうことを防止することができる。
【手続補正１６】
【補正対象書類名】明細書
【補正対象項目名】０１１８
【補正方法】変更
【補正の内容】
【０１１８】
次に、ブドウ、メロン１〜４、およびイチゴのいずれかに入賞したときに払い出されるメダルの枚数について説明する。ブドウ、メロン１〜４、およびイチゴのいずれかに入賞すると、当該入賞したゲームが開始されたときの遊技状態および入賞ライン数に応じた枚数分のメダルが払い出される。
【手続補正１７】
【補正対象書類名】明細書
【補正対象項目名】０１３５
【補正方法】変更
【補正の内容】
【０１３５】
次に、図５（ｂ）を参照して、特殊出目について説明する。特殊出目は、「メロン−イチゴ−バナナ」である。本実施の形態において特殊出目を入賞ラインＬ１〜Ｌ４のいずれかに停止させるリール制御は、いずれの遊技状態においても、ＳＢに当選しているときであってＳＢを構成する図柄を入賞ライン上に引き込むことができず、当該ＳＢを取りこぼすときに行なわれる。
【手続補正１８】
【補正対象書類名】明細書
【補正対象項目名】０１４０
【補正方法】変更
【補正の内容】
【０１４０】
また、スロットマシン１においては、抽選対象役として複数の入賞役が同時に読み出されて、重複して当選し得る。以下では、入賞役の間に“＋”を表記することにより、内部抽選において同時に抽選対象役として読み出されることを示す。
【手続補正１９】
【補正対象書類名】明細書
【補正対象項目名】０１４２
【補正方法】変更
【補正の内容】
【０１４２】
遊技状態が、通常遊技状態およびＲＴ１〜ＲＴ４のうちいずれかであるときには、イチゴ、押し順メロン１、押し順メロン２、押し順メロン３、押し順メロン４、押し順メロン５、１２枚メロン、ブドウ、１枚役１、１枚役２、１枚役３、１枚役４、ＳＢ、ＲＢ、ＢＢ３、ＢＢ２、ＢＢ１が内部抽選の対象役となり内部抽選の対象役として順に読み出される。なお、前述したように、ＲＴ２およびＲＴ４各々は、概念的にシングルボーナスを含む。図中の括弧内の数値は、ＲＴ２あるいはＲＴ４と異なる判定値数が設定されているシングルボーナス中の判定値数を示す。
【手続補正２０】
【補正対象書類名】明細書
【補正対象項目名】０１４４
【補正方法】変更
【補正の内容】
【０１４４】
遊技状態が内部中ＲＴであるときには、イチゴ、押し順メロン１、押し順メロン２、押し順メロン３、押し順メロン４、押し順メロン５、１２枚メロン、ブドウ、１枚役１が内部抽選の対象となり、内部抽選の対象役として順に読み出される。
【手続補正２１】
【補正対象書類名】明細書
【補正対象項目名】０１４６
【補正方法】変更
【補正の内容】
【０１４６】
遊技状態が、通常遊技状態であるときには、通常リプレイ、押し順昇格リプレイ１、押し順昇格リプレイ２、押し順昇格リプレイ３、押し順昇格リプレイ４、押し順昇格リプレイ５、押し順昇格リプレイ６、ＢＡＲテンパイリプレイ１、ＢＡＲテンパイリプレイ２、ＢＡＲテンパイリプレイ３、ＢＡＲテンパイリプレイ４、ＢＡＲリプレイが内部抽選の対象となり、内部抽選の対象役として順に読み出される。
【手続補正２２】
【補正対象書類名】明細書
【補正対象項目名】０１４９
【補正方法】変更
【補正の内容】
【０１４９】
遊技状態が、ＲＴ１、ＲＴ２、ＲＴ４、および内部中ＲＴのいずれかであるときには、通常リプレイ、ＢＡＲテンパイリプレイ１、ＢＡＲテンパイリプレイ２、ＢＡＲテンパイリプレイ３、ＢＡＲテンパイリプレイ４、ＢＡＲリプレイが内部抽選の対象となり、内部抽選の対象役として順に読み出される。なお、前述したように、ＲＴ２およびＲＴ４各々は、概念的にシングルボーナスを含む。
【手続補正２３】
【補正対象書類名】明細書
【補正対象項目名】０１５０
【補正方法】変更
【補正の内容】
【０１５０】
遊技状態がＲＴ３であるときには、通常リプレイ、押し順維持リプレイ１、押し順維持リプレイ２、押し順維持リプレイ３、押し順維持リプレイ４、押し順維持リプレイ５、押し順突入リプレイ１、押し順突入リプレイ２、押し順突入リプレイ３、押し順突入リプレイ４、ＢＡＲテンパイリプレイ１、ＢＡＲテンパイリプレイ２、ＢＡＲテンパイリプレイ３、ＢＡＲテンパイリプレイ４、ＢＡＲリプレイが内部抽選の対象となり、内部抽選の対象役として順に読み出される。